(57)【要約】【課題】  コンテンツのインデックス画像に対して画像データを付加することなく、インデックス画像を用いた画像によってコンテンツに関する時間情報を表現する。【解決手段】  コンテンツの有効期間に対する登録日時から現在日時までの経過期間の割合を重み係数とし、登録日時及び有効期限に対して現在日時を正規化する。画像処理装置本体は、コンテンツの残存する有効期間が短くなるにつれてインデックス画像の濃度が低くなるように、重み係数の値に応じてインデックス画像２２を編集する。ＵＩ装置の表示画面１００は、例えばサムネイル１０２ａ〜１０２ｄの順に濃度が濃くなっており、サムネイル１０２ａに対応するコンテンツの残存する有効期間が最も短く、サムネイル１０２ｄに対応するコンテンツの残存する有効期間が最も長いことを表現している。【選択図】          図６
2006079349.tif 000002
【特許請求の範囲】
【請求項１】
時間情報を得る時間情報取得手段と、コンテンツのインデックス画像を取得するインデックス画像取得手段と、前記時間情報取得手段により取得した時間情報に応じて前記インデックス画像取得手段により取得したインデックス画像を編集する編集手段とを有することを特徴とする画像処理装置。
【請求項２】
前記編集手段は、インデックス画像の濃度値を編集することを特徴とする請求項１記載の画像処理装置。
【請求項３】
前記編集手段は、コンテンツの残存する有効期間に応じて、インデックス画像を編集することを特徴とする請求項１又は２記載の画像処理装置。
【請求項４】
前記編集手段は、コンテンツの残存する有効期間に応じて、インデックス画像の濃度値が下がるようにインデックス画像を編集することを特徴とする請求項３記載の画像処理装置。
【請求項５】
前記編集手段は、コンテンツの残存する有効期間に応じて、インデックス画像の彩度が低くなるようにインデックス画像を編集することを特徴とする請求項３記載の画像処理装置。
【請求項６】
前記編集手段は、コンテンツの残存する有効期間に応じたぼかし処理をインデックス画像に対して行なうことを特徴とする請求項３記載の画像処理装置。
【請求項７】
前記編集手段は、コンテンツの有効期間に対する経過期間の割合に応じて、インデックス画像の編集される画像領域が変化するようにインデックス画像を編集することを特徴とする請求項１乃至６いずれか記載の画像処理装置。
【請求項８】
前記編集手段は、コンテンツに対して設定された時間情報に応じて、インデックス画像を編集することを特徴とする請求項１又は２記載の画像処理装置。
【請求項９】
前記編集手段は、コンテンツに対して設定された時間情報に応じて、インデックス画像の濃度値が連続的に変化するようにインデックス画像を編集することを特徴とする請求項８記載の画像処理装置。
【請求項１０】
前記編集手段は、コンテンツに対して設定された時間情報に応じて、インデックス画像の濃度値が下がるようにインデックス画像を編集することを特徴とする請求項８又は９記載の画像処理装置。
【請求項１１】
前記編集手段は、コンテンツに対して設定された時間情報に応じて、インデックス画像の彩度が低くなるようにインデックス画像を編集することを特徴とする請求項８記載の画像処理装置。
【請求項１２】
前記編集手段は、コンテンツに対して設定された時間情報に応じたぼかし処理をインデックス画像に対して行なうことを特徴とする請求項８記載の画像処理装置。
【請求項１３】
前記編集手段は、コンテンツに対して設定された時から現在までの期間に応じて、インデックス画像の濃度値が連続的に変化するようにインデックス画像を編集することを特徴とする請求項２記載の画像処理装置。
【請求項１４】
時間情報及びコンテンツのインデックス画像を取得し、取得した時間情報に応じてインデックス画像を編集することを特徴とする画像処理方法。
【請求項１５】
コンピュータを含む画像処理装置において、時間情報を得るステップと、コンテンツのインデックス画像を取得するステップと、取得した時間情報に応じてインデックス画像を編集するステップとを前記画像処理装置のコンピュータに実行させる画像処理プログラム。
【発明の詳細な説明】
【技術分野】
【０００１】
本発明は、インデックス画像を編集する画像処理装置、画像処理方法及び画像処理プログラムに関するものである。
【背景技術】
【０００２】
デジタルカメラ、デジタルビデオレコーダ及びＰＣ（パーソナルコンピュータ）などの普及に伴い、大量のコンテンツを扱う機会が増えている。そこで、大量のコンテンツを容易に把握するために、例えば動画、静止画及び文書などのファイルに対し、見出しとなるサムネイル又はアイコンを用いることが知られている。また、コンテンツに有効期限が設定されている場合、有効期限が設定されていることを示す図をアイコンに追加することにより、コンテンツに有効期限が設定されている状態を示すことは公知である（特許文献１参照）。また、コンテンツの作成日などの付加情報をサムネイルに重ねて表示することは公知である（特許文献２参照）。
【０００３】
【特許文献１】特開２０００−３０７９９４号公報
【特許文献２】特開２００１−３３７９９４号公報
【発明の開示】
【発明が解決しようとする課題】
【０００４】
しかしながら、特許文献１に記載されたように、有効期限が設定されていることを示す図をアイコンに追加する場合、コンテンツの見出しとなるアイコンの他に画像データを用意する必要がある。また、特許文献２に記載されたように、付加情報をサムネイルに重ねて表示する場合、付加情報が文字による表現に限定される、又は、サムネイルに重ねて付加情報を表示するための画像データが必要になるという問題があった。
【０００５】
そこで、本発明は、コンテンツのインデックス画像に対して画像データを付加することなく、インデックス画像を用いた画像によってコンテンツに関する時間情報を表現することができる画像処理装置、画像処理方法及び画像処理プログラムを提供することを目的とする。
【課題を解決するための手段】
【０００６】
上記目的を達成するため、本発明の第１の特徴とするところは、時間情報を得る時間情報取得手段と、コンテンツのインデックス画像を取得するインデックス画像取得手段と、前記時間情報取得手段により取得した時間情報に応じて前記インデックス画像取得手段により取得したインデックス画像を編集する編集手段とを有する画像処理装置にある。即ち、編集手段がインデックス画像を時間情報に応じて編集することにより、インデックス画像に対して画像データを付加することなく、インデックス画像を用いた画像によってコンテンツに関する時間情報を表現することができる。
【０００７】
好適には、前記編集手段は、インデックス画像の濃度値を編集する。したがって、インデックス画像の濃度値の差異により、コンテンツに関する時間情報の変化又は差異を表現することができる。
【０００８】
また、好適には、前記編集手段は、コンテンツの残存する有効期間に応じて、インデックス画像を編集する。即ち、インデックス画像を編集することにより、コンテンツの残存する有効期間の変化又は差異を表現することができる。
【０００９】
また、好適には、前記編集手段は、コンテンツの残存する有効期間に応じて、インデックス画像の濃度値が下がるようにインデックス画像を編集する。また、好適には、前記編集手段は、コンテンツの残存する有効期間に応じて、インデックス画像の彩度が低くなるようにインデックス画像を編集する。また、好適には、前記編集手段は、コンテンツの残存する有効期間に応じたぼかし処理をインデックス画像に対して行なう。
【００１０】
また、好適には、前記編集手段は、コンテンツの有効期間に対する経過期間の割合に応じて、インデックス画像の編集される画像領域が変化するようにインデックス画像を編集する。即ち、コンテンツの残存する有効期間をインデックス画像の編集される画像領域の割合によって表現することができる。
【００１１】
また、好適には、前記編集手段は、コンテンツに対して設定された時間情報に応じて、インデックス画像を編集する。したがって、例えばコンテンツの作成日又は登録日がコンテンツに対して設定されると、コンテンツの作成日又は登録日に応じてインデックス画像が編集されるので、コンテンツの作成日又は登録日の差異を表現することができる。
【００１２】
また、好適には、前記編集手段は、コンテンツに対して設定された時間情報に応じて、インデックス画像の濃度値が連続的に変化するようにインデックス画像を編集する。したがって、コンテンツに対して設定された時間情報の連続的な差異を表現することができる。
【００１３】
また、好適には、前記編集手段は、コンテンツに対して設定された時間情報に応じて、インデックス画像の濃度値が下がるようにインデックス画像を編集する。また、好適には、前記編集手段は、コンテンツに対して設定された時間情報に応じて、インデックス画像の彩度が低くなるようにインデックス画像を編集する。また、好適には、前記編集手段は、コンテンツに対して設定された時間情報に応じたぼかし処理をインデックス画像に対して行なう。
【００１４】
また、好適には、前記編集手段は、コンテンツに対して設定された時から現在までの期間に応じて、インデックス画像の濃度値が連続的に変化するようにインデックス画像を編集する。即ち、コンテンツに対して設定された時から現在までの期間に対し、インデックス画像の濃度値が連続的に変化するように正規化されるので、コンテンツに対して設定された時間情報の差異を連続的に表現することができる。
【００１５】
また、本発明の第２の特徴とするところは、時間情報及びコンテンツのインデックス画像を取得し、取得した時間情報に応じてインデックス画像を編集する画像処理方法にある。即ち、インデックス画像を取得した時間情報に応じて編集することにより、編集されたインデックス画像によって時間情報の変化又は差異を表現することができる。
【００１６】
また、本発明の第３の特徴とするところは、コンピュータを含む画像処理装置において、時間情報を得るステップと、コンテンツのインデックス画像を取得するステップと、取得した時間情報に応じてインデックス画像を編集するステップとを前記画像処理装置のコンピュータに実行させる画像処理プログラムにある。
【発明の効果】
【００１７】
本発明によれば、コンテンツのインデックス画像に対して画像データを付加することなく、インデックス画像を用いた画像によってコンテンツに関する時間情報を表現することができる。
【発明を実施するための最良の形態】
【００１８】
次に本発明の実施形態を図面に基づいて説明する。
図１において、本発明の実施形態に係る画像処理装置１の概要が示されている。
画像処理装置１は、ユーザインターフェイス（ＵＩ）装置１０、記憶装置１２、印刷装置本体１４、通信装置１６及び画像処理装置本体１８を有する。ＵＩ装置１０は、例えばＬＣＤ表示装置又はＣＲＴ表示装置などの表示装置と、キーボード及びマウスなどの入力装置とを含み、ユーザの指示及び設定を受入れて、指示及び設定に応じた画像を表示する。記憶装置１２は、例えばＨＤＤ装置などであり、画像処理装置本体１８を介して入力されるデータ、ユーザによる設定及び記録媒体１２０を介して供給されるプログラムなどを記憶する。印刷装置本体１４は、例えば、用紙送り装置、ゼログラフィ装置及び定着装置などを含む画像形成装置、並びに、スキャナ装置など（いずれも図示せず）を含む。通信装置１６は、例えばネットワーク上の図示しない他の画像処理装置及びサーバなどと画像処理装置本体１８とを接続する。画像処理装置本体１８は、ＲＡＭ及び不揮発性メモリなどを含むメモリ１８０、並びにＣＰＵ１８２などを含む。ＣＰＵ１８２は、現在日時を示すためのＲＴＣ（リアルタイムクロック：図示せず）を有する。つまり、画像処理装置１は、汎用コンピュータとしての機能を有する。
【００１９】
画像処理装置１は、画像処理装置本体１８の制御により、例えば印刷装置本体１４のスキャナ装置、通信装置１６又は記録媒体１２０を介して静止画、動画、又は文書などのコンテンツを受け入れ、コンテンツを記憶装置１２に記憶し、コンテンツに関連する情報をＵＩ装置１０の表示装置による表示又は印刷装置本体１４による印刷によって出力する。
また、画像処理装置１は、画像処理装置本体１８及び記憶装置１２がネットワーク上に配置され、通信装置１６を介してＵＩ装置１０及び印刷装置本体１４と接続されたものでもよい。
【００２０】
図２において、記憶装置１２が記憶するコンテンツのデータファイル２の構造が示されている。図２に示すように、コンテンツのデータファイル２は、静止画、動画、又は文書などのコンテンツデータ２０、サムネイル又はアイコンなどのコンテンツの見出しとなるインデックス画像２２及び付帯情報２４を有する。付帯情報２４には、例えばコンテンツが記憶装置１２に記憶された日時（登録日時）及びコンテンツの作成日時などが含まれる。また、コンテンツに有効期間が設定されている場合には、付帯情報２４にコンテンツの有効期間が含まれる。
なお、コンテンツデータ２０が例えば静止画又は動画などの画像を含む場合、データファイル２にはインデックス画像２２が含まれず、画像処理装置本体１８がコンテンツデータ２０を加工することによってインデックス画像２２を生成してもよい。
【００２１】
図３において、画像処理プログラム３の構成及び画像処理プログラム３とデータファイルデータベース（データファイルＤＢ）４との関係が示されている。
データファイルＤＢ４は、画像処理装置１が随時受入れたコンテンツのデータファイル２を記憶装置１２が蓄積したコンテンツのデータベースである。
画像処理プログラム３は、編集判定部３０、重み係数算出部３２、編集量算出部３４及び出力処理部３６を含み、図１に示した画像処理装置本体１８により実行される。
【００２２】
編集判定部３０は、インデックス画像２２の表示又は印刷による出力指示及びインデックス画像２２に対する編集方法の設定をＵＩ装置１０を介して受入れると、データファイルＤＢ４から付帯情報２４を取得する。また、編集判定部３０は、データファイル２の付帯情報２４を取得すると、コンテンツに所定の設定がされているか否かを判断して、コンテンツに所定の設定がされている場合には設定があることを示す信号を重み係数算出部３２に対して出力し、設定がされていない場合には設定がないことを示す信号を出力処理部３６に対して出力する。
【００２３】
重み係数算出部３２は、編集判定部３０から所定の設定があることを示す信号を受入れると、データファイルＤＢ４からデータファイル２の付帯情報２４を取得して、ＵＩ装置１０を介して入力されるインデックス画像２２に対する編集方法の設定に応じて後述する重み係数を算出し、編集量算出部３４に対して出力する。
【００２４】
編集量算出部３４は、重み係数算出部３２から重み係数を受入れると、データファイルＤＢ４からインデックス画像２２を取得して、ＵＩ装置１０を介して入力されるインデックス画像２２に対する編集方法の設定に応じてインデックス画像２２に対する編集量を算出し、出力処理部３６に対して出力する。
【００２５】
出力処理部３６は、編集量算出部３４からインデックス画像２２に対する編集量を受入れると、データファイルＤＢ４からインデックス画像２２を取得し、インデックス画像２２を受入れた編集量に応じて編集する。また、出力処理部３６は、編集したインデックス画像２２に対し、ＵＩ装置１０の表示装置又は印刷装置本体１４に合わせる処理を行い、編集したインデックス画像２２をＵＩ装置１０の表示装置又は印刷装置本体１４に出力する。また、出力処理部３６は、編集判定部３０からコンテンツに所定の設定がないことを示す信号を受入れた場合、データファイルＤＢ４からインデックス画像２２を取得して、インデックス画像２２を編集することなくＵＩ装置１０の表示装置又は印刷装置本体１４に合わせて出力する。
【００２６】
次に、本発明におけるインデックス画像２２に対する編集方法の第１の実施例について説明する。
図４は、インデックス画像２２に対する編集方法の第１の実施例において、重み係数算出部３２が算出する重み係数ｗｋの概念を示す概念図である。上述したように、コンテンツのデータファイル２には、付帯情報２４にコンテンツの登録日時及び有効期間が含まれている。付帯情報２４においては、例えば設定された有効期間が３０日となっており、登録日時Ａが２００４年３月１日午後１時となっている。有効期限Ｂは、有効期間の最終日時であり、例えば画像処理装置本体１８が登録日時Ａと有効期間とから算出して２００４年３月３１日午後１時としている。現在日時Ｃは、ＲＴＣによってＣＰＵ１８２が取得するようにされており、例えば２００４年３月１８日午後１時となっている。
【００２７】
画像処理装置本体１８は、時間軸に対して登録日時Ａを数値０とし、有効期限Ｂを数値１．０として、登録日時Ａから有効期限Ｂまでの有効期間（Ｂ−Ａ）に対する登録日時Ａから現在日時Ｃまでの経過期間（Ｃ−Ａ）の割合を重み係数ｗｋとすることにより、登録日時Ａ及び有効期限Ｂに対して現在日時Ｃを正規化する。つまり、重み係数ｗｋは、下式１のように示される。
重み係数ｗｋ＝（Ｃ−Ａ）／（Ｂ−Ａ）                ・・・（１）
また、画像処理装置本体１８は、コンテンツの残存する有効期間が短くなるにつれてインデックス画像２２の濃度が低くなるように、重み係数ｗｋの値に応じてインデックス画像２２を編集する。
なお、現在日時Ｃは、コンテンツの作成日及び有効期限Ｂに対して正規化されてもよい。
【００２８】
図５は、インデックス画像２２に対する編集方法の第１の実施例によって画像処理装置本体１８がインデックス画像２２を編集する画像処理（Ｓ１０）を示すフローチャートである。
図５に示すように、ステップ１００（Ｓ１００）において、画像処理装置本体１８は、ＵＩ装置１０を介し、インデックス画像２２に対する編集方法の設定、及び表示又は印刷による出力の指示を受入れる。
【００２９】
ステップ１０２（Ｓ１０２）において、画像処理装置本体１８は、コンテンツに有効期間の設定があるか否かを判断し、有効期間の設定がある場合にはＳ１０４の処理に進み、有効期間の設定がない場合にはＳ１１４の処理に進む。
【００３０】
ステップ１０４（Ｓ１０４）において、画像処理装置本体１８は、データファイルＤＢ４から付帯情報２４に含まれる有効期間の情報を取得し、有効期限Ｂを算出する。
【００３１】
ステップ１０６（Ｓ１０６）において、画像処理装置本体１８は、データファイルＤＢ４から付帯情報２４に含まれる登録日時Ａを取得する。
【００３２】
ステップ１０８（Ｓ１０８）において、画像処理装置本体１８は、ＲＴＣによって現在日時Ｃを取得する。
【００３３】
ステップ１１０（Ｓ１１０）において、画像処理装置本体１８は、上述した式１によって現在日時Ｃの重み係数ｗｋを算出する。
【００３４】
ステップ１１２（Ｓ１１２）において、画像処理装置本体１８は、コンテンツの残存する有効期間が短くなるにつれてインデックス画像２２の濃度が低くなるように、重み係数ｗｋの値に応じてインデックス画像２２に対する編集量を算出する。
【００３５】
ステップ１１４（Ｓ１１４）において、画像処理装置本体１８は、編集量に応じてインデックス画像２２を編集し、ＵＩ装置１０の表示装置又は印刷装置本体１４にインデックス画像２２を合わせる処理を行い、ＵＩ装置１０の表示装置又は印刷装置本体１４に対して出力する。
つまり、画像処理装置本体１８は、インデックス画像２２に対する編集量が算出された場合には、インデックス画像２２を編集量に応じて編集すると共にＵＩ装置１０の表示装置又は印刷装置本体１４に合わせる処理を行い、ＵＩ装置１０の表示装置又は印刷装置本体１４に対して出力する。また、画像処理装置本体１８は、コンテンツに有効期限の設定がない場合には、データファイルＤＢ４から取得したインデックス画像２２をＵＩ装置１０の表示装置又は印刷装置本体１４に合わせる処理を行い、ＵＩ装置１０の表示装置又は印刷装置本体１４に対して出力する。（出力処理）
【００３６】
図６は、複数の静止画のコンテンツに対し、編集方法の第１の実施例によって編集された複数のサムネイル（インデックス画像）を表示したＵＩ装置１０の表示画面例である。
図６に示したＵＩ装置１０の表示画面１００は、例えばサムネイル１０２ａ〜１０２ｄの順に濃度が濃くなっており、サムネイル１０２ａに対応するコンテンツの残存する有効期間が最も短く、サムネイル１０２ｄに対応するコンテンツの残存する有効期間が最も長いことを表現している。
【００３７】
図７は、インデックス画像２２に対する編集方法の第１の実施例の変形例によって編集したサムネイルの変化を示す図であって、（Ａ）は第１の変形例を示し、（Ｂ）は第２の変形例を示し、（Ｃ）は第３の変形例を示すＵＩ装置１０に表示されたサムネイルである。
図７（Ａ）に示すように、第１の実施例の第１の変形例は、例えば静止画のコンテンツに対し、残存する有効期間が短くなるにつれてサムネイルの明度を高く（オフセット）することにより、残存する有効期間の長さを表現する。
【００３８】
ここで、サムネイルは、ＵＩ装置１０により表示されており、明度が高くなるように基本色のＲ（赤）、Ｇ（緑）及びＢ（青紫）が編集されると白に近づく。また、基本色のＲ，Ｇ，Ｂは、下式２に示すように編集され、それぞれ編集後の基本色Ｒ’，Ｇ’，Ｂ’となる。
Ｒ’，Ｇ’，Ｂ’＝Ｒ，Ｇ，Ｂ＋２５５×ｗｋ    ・・・（２）
ただし、式２において、ｗｋは、式１に示した重み係数であり、右辺第二項は、基本色のＲ，Ｇ，Ｂに対する重み係数ｗｋを用いた編集量を表す。また、式２において、Ｒ’，Ｇ’，Ｂ’の値が２５５よりも大きくなる場合には、２５５を超えた値を２５５とみなす。
【００３９】
図７（Ｂ）に示すように、第１の実施例の第２の変形例は、例えば静止画のコンテンツに対し、残存する有効期間が短くなるにつれてサムネイルの彩度を低くすることにより、残存する有効期間の長さを表現する。つまり、サムネイルは、残存する有効期間が短くなるにつれて無彩色（グレー)に近づく。
【００４０】
ここで、サムネイルは、色相Ｈ、彩度Ｓ及び明度Ｌによって表されるように変換され、彩度Ｓは、下式３に示すように編集されて編集後の彩度Ｓ’となる。
Ｓ’＝Ｓ×（１．０−ｗｋ）    ・・・（３）
ただし、式３において、ｗｋは、式１に示した重み係数である。
【００４１】
図７（Ｃ）に示すように、第１の実施例の第３の変形例は、例えば静止画のコンテンツに対し、残存する有効期間が短くなるにつれてサムネイルに対するぼかし処理量を大きくすることにより、残存する有効期間の長さを表現する。つまり、サムネイルは、残存する有効期間が短くなるにつれてシャープネス効果が下がるようにされている。
【００４２】
図８は、インデックス画像２２に対する編集方法の第１の実施例の第４の変形例によって編集され、ＵＩ装置１０に表示されたサムネイルである。
第１の実施例の第４の変形例は、例えば静止画のコンテンツの残存する有効期間に応じて、サムネイルが表示される領域に対する濃度が下げられた領域（低濃度領域）の割合が変化するようにされている。図８に示すように、サムネイルが表示される領域は、例えばＵＩ装置１０に表示されるサムネイルの主走査方向ｗ及び副走査方向ｈの座標（ｗ，ｈ）によって表される。また、サムネイルの左上を座標の原点（０，０）とし、サムネイルの右下の座標が（ｗｌ，ｗｈ）とされている。また、サムネイルにおいて、濃度が切替えられる位置の主走査方向の座標がｌｐとして表されている。
【００４３】
ここで、濃度が切替えられる位置の主走査方向の座標ｌｐは、下式４に示すように算出される。
ｌｐ＝ｗｌ−ｗｌ×ｗｋ    ・・・（４）
ただし、式４において、ｗｋは、式１に示した重み係数である。
【００４４】
有効期間に対して時間が経過すると、サムネイルの（ｌｐ，０），（ｌｐ，ｈｌ），（ｗｌ，０），（ｗｌ，ｈｌ）に囲まれる領域の濃度が下げられる。また、コンテンツの残存する有効期間が短くなるにつれて座標ｌｐの値が小さくなるので、図９に示すように残存する有効期間が短くなるにつれて、サムネイルにおける濃度が下げられた領域が反主走査方向（図９において右側から左側）に向けて広くなる。つまり、第１の実施例の第４の変形例は、サムネイルの画像幅を設定された有効期間の長さとみなし、コンテンツの残存する有効期間が短くなるにつれてサムネイルの濃度が下げられた領域を広くすることにより、有効期間の残存比率を表現する。
【００４５】
なお、有効期間の残存比率の表現は、経過時間に応じて反主走査方向に低濃度領域の面積が変化することに限定されることなく、例えば副走査方向に低濃度領域の面積が変化するようにしてもよいし、中心から円心状に低濃度領域の面積が変化するようにしてもよい。
【００４６】
次に、本発明におけるインデックス画像２２に対する編集方法の第２の実施例について説明する。
図１０は、インデックス画像２２に対する編集方法の第２の実施例において、重み係数算出部３２が算出する重み係数ｗｋ’の概念を示す概念図である。第２の実施例においては、過去の日時Ａ’及び現在日時Ｂ’に対するコンテンツの登録日時Ｃ’に応じて、インデックス画像２２が編集されるようになっている。
過去の日時Ａ’は、例えば３ヶ月前又は３０日前など、現在日時Ｂ’に対してユーザが任意に設定する過去の日時（設定日時）、又は、データファイルＤＢ４に記憶されている最も古いデータファイル２の登録日時であり、インデックス画像２２の編集方法に対する設定の１つとしてユーザが選択できるようにされている。現在日時Ｂ’は、ＲＴＣによってＣＰＵ１８２が取得するようにされている。また、上述したように、コンテンツのデータファイル２には、付帯情報２４にコンテンツの登録日時Ｃ’が含まれている。
【００４７】
画像処理装置本体１８は、時間軸に対して過去の日時Ａ’を数値０とし、現在日時Ｂ’を数値１．０として、過去の日時Ａ’から現在日時Ｂ’までの基準期間（Ｂ’−Ａ’）に対する過去の日時Ａ’から登録日時Ｃ’までの形式的な経過期間（Ｃ’−Ａ’）の割合を用いて重み係数ｗｋ’算出し、過去の日時Ａ’及び現在日時Ｂ’に対して登録日時Ｃ’を正規化する。なお、重み係数ｗｋ’は、下式５のように示される。
重み係数ｗｋ’＝１．０−（Ｃ’−Ａ’）／（Ｂ’−Ａ’）    ・・・（５）
また、画像処理装置本体１８は、コンテンツの登録日時Ｃ’が早期であるほど（コンテンツの古さに応じて）インデックス画像２２の濃度が低くなるように、重み係数ｗｋ’の値に応じてインデックス画像２２を編集する。
なお、過去の日時Ａ’及び現在日時Ｂ’に対し、登録日時Ｃ’の代わりにコンテンツの作成日を正規化し、インデックス画像２２を編集するようにしてもよい。
【００４８】
図１１は、インデックス画像２２に対する編集方法の第２の実施例によって画像処理装置本体１８がインデックス画像２２を編集する画像処理（Ｓ２０）を示すフローチャートである。
図１１に示すように、ステップ２００（Ｓ２００）において、画像処理装置本体１８は、ＵＩ装置１０を介し、インデックス画像２２に対する編集方法の設定、及び表示又は印刷による出力の指示を受入れる。なお、編集方法の設定には、重み係数ｗｋ’を算出するための設定日時に関する設定をユーザが行なうことが含まれる。
【００４９】
ステップ２０２（Ｓ２０２）において、画像処理装置本体１８は、ユーザによって設定された設定日時があるか否かを判断し、設定日時がある場合にはＳ２０４の処理に進み、設定日時がない場合にはＳ２０６の処理に進む。
【００５０】
ステップ２０４（Ｓ２０４）において、画像処理装置本体１８は、記憶装置１２から設定日時の情報を取得し、設定日時を過去の日時Ａ’とする。
【００５１】
ステップ２０６（Ｓ２０６）において、画像処理装置本体１８は、データファイルＤＢ４に最も早期に登録されたデータファイル２から登録日時の情報を取得し、過去の日時Ａ’とする。
【００５２】
ステップ２０８（Ｓ２０８）において、画像処理装置本体１８は、データファイルＤＢ４にアクセスし、ＵＩ装置１０又は印刷装置本体１４による出力の対象となるデータファイル２の登録日時の情報を取得し、登録日時Ｃ’とする。
【００５３】
ステップ２１０（Ｓ２１０）において、画像処理装置本体１８は、ＲＴＣによって現在日時Ｂ’を取得する。
【００５４】
ステップ２１２（Ｓ２１２）において、画像処理装置本体１８は、上述した式５によって登録日時Ｃ’の重み係数ｗｋ’を算出する。
【００５５】
ステップ２１４（Ｓ２１４）において、画像処理装置本体１８は、コンテンツの登録日時Ｃ’が早期であるほど（コンテンツの古さに応じて）インデックス画像２２の濃度が低くなるように、重み係数ｗｋ’の値に応じてインデックス画像２２に対する編集量を算出する。
【００５６】
ステップ２１６（Ｓ２１６）において、画像処理装置本体１８は、編集量に応じてインデックス画像２２を編集し、ＵＩ装置１０の表示装置又は印刷装置本体１４にインデックス画像２２を合わせる処理を行い、ＵＩ装置１０の表示装置又は印刷装置本体１４に対して出力する。（出力処理）
【００５７】
次に、インデックス画像２２に対する編集方法の第２の実施例の第１の変形例について説明する。
第２の実施例の第１の変形例は、例えば静止画のコンテンツに対し、登録日時Ｃ’が早期であるほどサムネイルの明度を高く（オフセット）することにより、コンテンツの登録日時Ｃ’を表現する。
【００５８】
ここで、サムネイルは、例えばＵＩ装置１０により表示されており、明度が高くなるように基本色のＲＧＢが編集されると白に近づく。また、基本色のＲ，Ｇ，Ｂは、下式６に示すように編集され、それぞれ編集後の基本色Ｒ’，Ｇ’，Ｂ’となる。
Ｒ’，Ｇ’，Ｂ’＝Ｒ，Ｇ，Ｂ＋２５５×ｗｋ’    ・・・（６）
ただし、式６において、ｗｋ’は、式５に示した重み係数であり、右辺第二項は、基本色のＲ，Ｇ，Ｂに対する重み係数ｗｋ’を用いた編集量を表す。また、式６において、Ｒ’，Ｇ’，Ｂ’の値が２５５よりも大きくなる場合には、２５５を超えた値を２５５とみなす。
【００５９】
次に、インデックス画像２２に対する編集方法の第２の実施例の第２の変形例について説明する。
第２の実施例の第２の変形例は、例えば静止画のコンテンツに対し、登録日時Ｃ’が早期であるほどサムネイルの彩度を低くすることにより、コンテンツの登録日時Ｃ’を表現する。つまり、サムネイルは、登録日時Ｃ’が早期であるほど無彩色（グレー)に近づく。
【００６０】
ここで、サムネイルは、色相Ｈ、彩度Ｓ及び明度Ｌによって表されるように変換され、彩度Ｓは、下式７に示すように編集されて編集後の彩度Ｓ’となる。
Ｓ’＝Ｓ×（１．０−ｗｋ’）    ・・・（７）
ただし、式７において、ｗｋ’は、式５に示した重み係数である。
【００６１】
なお、上記実施形態においては、コンテンツに関連する日時情報に応じてインデックス画像を編集する例を示したが、これに限定されることなく、例えば、画像処理装置本体１８がコンテンツのデータファイル２のサイズを判断し、データファイル２のサイズに応じてインデックス画像を編集するようにしてもよい。また、データファイル２のサイズに応じてインデックス画像を編集する場合、基準となるデータファイルのサイズを設定し、基準となるデータファイルのサイズに対するコンテンツのデータファイル２のサイズに応じてインデックス画像を編集するようにしてもよい。
【図面の簡単な説明】
【００６２】
【図１】本発明の実施形態に係る画像処理装置の概略を示す構成図である。
【図２】記憶装置が記憶するコンテンツのデータファイルの構造を示すデータファイル構造図である。
【図３】画像処理プログラムの構成及び画像処理プログラムとデータファイルデータベースとの関係を示すブロック図である。
【図４】インデックス画像に対する編集方法の第１の実施例において、重み係数算出部が算出する重み係数ｗｋの概念を示す概念図である。
【図５】インデックス画像に対する編集方法の第１の実施例によって画像処理装置本体がインデックス画像を編集する画像処理（Ｓ１０）を示すフローチャートである。
【図６】複数の静止画のコンテンツに対し、編集方法の第１の実施例によって編集された複数のサムネイル（インデックス画像）を表示したＵＩ装置の表示画面例である。
【図７】インデックス画像に対する編集方法の第１の実施例の変形例によって編集したサムネイルの変化を示す図であって、（Ａ）は第１の変形例を示し、（Ｂ）は第２の変形例を示し、（Ｃ）は第３の変形例を示すＵＩ装置に表示されたサムネイルである。
【図８】インデックス画像に対する編集方法の第１の実施例の第４の変形例によって編集され、ＵＩ装置に表示されたサムネイルである。
【図９】インデックス画像に対する編集方法の第１の実施例の第４の変形例によって編集され、サムネイルにおける濃度が下げられた領域が反主走査方向に向けて変化した状態を示すサムネイルである。
【図１０】インデックス画像に対する編集方法の第２の実施例において、重み係数算出部が算出する重み係数ｗｋ’の概念を示す概念図である。
【図１１】インデックス画像に対する編集方法の第２の実施例によって画像処理装置本体がインデックス画像を編集する画像処理（Ｓ２０）を示すフローチャートである。
【符号の説明】
【００６３】
１・・・画像処理装置
１０・・・ユーザインターフェイス（ＵＩ）装置
１００・・・表示画面
１０２ａ〜１０２ｄ・・・サムネイル
１２・・・記憶装置
１４・・・印刷装置本体
１６・・・通信装置
１８・・・画像処理装置本体
１８０・・・メモリ
１８２・・・ＣＰＵ
２・・・データファイル
２０・・・コンテンツデータ
２２・・・インデックス画像
２４・・・付帯情報
３・・・画像処理プログラム
３０・・・編集判定部
３２・・・重み係数算出部
３４・・・編集量算出部
３６・・・出力処理部
３８・・・編集プログラムＤＢ
４・・・データファイルＤＢ
【図１】
2006079349.tif 000003
【図２】
2006079349.tif 000004
【図３】
2006079349.tif 000005
【図４】
2006079349.tif 000006
【図５】
2006079349.tif 000007
【図６】
2006079349.tif 000008
【図７】
2006079349.tif 000009
【図８】
2006079349.tif 000010
【図９】
2006079349.tif 000011
【図１０】
2006079349.tif 000012
【図１１】
2006079349.tif 000013